(57)【要約】      （修正有）【課題】パチンコ機が公正を求めるあまり、当り外れの抽選に基づく大量出球の性能に偏り過ぎて、遊技者の技量に基づく楽しさを失いつつあると言う問題を解決する。【解決手段】入賞口スイッチ又はゲートスイッチ６による入力信号を抽選し、抽選結果を表示する図柄表示装置７を有し、当りの時には一定時間開口する電動チューリップ９を有するパチンコ機１にあって、当り結果表示から電動チューリップ開口までに遅れ時間を設け、上記遅れ時間の間に、遊技者操作スイッチ１３が作動した時には、上記遅れ時間を短縮し、電動チューリップが一定時間開口することで、遊技者が自分の技術で獲得したような気分にさせる事を特徴とするパチンコ機であるから、遊技者の技量に基づく楽しさを与えることができる。【選択図】図１
2009034468.tif 000002
【特許請求の範囲】
【請求項１】
入賞口スイッチ又はゲートスイッチによる入力信号を抽選し、抽選結果を表示する図柄表示装置を有し、当りの時には一定時間開口する電動チューリップを有するパチンコ機にあって、入力信号受付から図柄表示装置に当り外れの抽選結果を表示するまでがあらかじめ定められた時間であり、抽選結果表示から電動チューリップ開口までに定められた遅れ時間を有し、上記抽選結果表示から電動チューリップ開口までに定められた遅れ時間の間に遊技者操作スイッチが作動した時には、上記抽選結果表示から電動チューリップ開口までに定められた遅れ時間を短縮し、上記電動チューリップが一定時間開口することで、遊技盤上の上記電動チューリップの上方に遊技球が存在する時点で遊技者操作スイッチを作動すると、上記遊技球が上記電動チューリップに入賞する事が有り得るようにした事で、遊技者が自分の技術で獲得したような気分にさせる事を特徴とするパチンコ機。
【請求項２】
遊技者操作スイッチを有するパチンコ機において、遊技者操作スイッチ信号を周辺基板のマイクロコンピューターを介して主基板のマイクロコンピューターに伝えると共に、主基板内に遊技者操作スイッチ表示ＬＥＤを設け、遊技者操作スイッチが操作される毎に遊技者操作スイッチ表示ＬＥＤが点灯することが確認できると共に、賞球払出等の遊技者操作スイッチの作動によっては有ってはならない動作が無い事を確認し易くしたことを特徴とするパチンコ機。
【発明の詳細な説明】
【技術分野】
【０００１】  本発明は、パチンコ遊技機の用途分野に関連する。
【背景技術】
【０００２】  パチンコ機は、近年大幅な発展、成長をした。特に、フィバー機、セブン機、デジパチ機と俗称でよばれる複数の図柄の一致、不一致で当り外れを決める遊技機の出現と、その当り外れの経過を液晶表示装置、音声等で盛り上げる技術の高度化による所が大きい。【０００３】  一方、高度化された液晶表示等により、過度に夢と期待を膨らませることが、遊技者の“のめり込み“現象を生み出したり、遊技機の価格を高騰させ、結果、遊技者に戻される賞品が少なくなり、客離れが進むという現象がある。
【発明の開示】
【発明が解決しようとする課題】
【０００４】
【０００５】  本発明が解決しようとする課題は、
（１）パチンコ機は公正を求めるあまり、当り外れの抽選に基づく大量出球の性能に偏り過ぎて、遊技者の技量に基づく楽しさを失いつつあると言う問題がある。遊技者が自分の意思で操作できるスイッチを遊技に関連付ける度合いを増やす必要がある。
（２）パチンコ機は賞品を認めている為、遊技者が自分の意思で操作できるスイッチを遊技に関連させると不正行為の心配がある。過去に遊技者の意思で操作できるスイッチを用いた時代が有り、不正行為により使用出来なくなった経緯も有り、不正防止の技術を向上させる必要があると言う課題がある。
上記（１）（２）が、解決しようとする課題である。
【課題を解決する為の手段】
【０００６】  請求項１のパチンコ機は、入賞口スイッチ又はゲートスイッチによる入力信号を抽選し、抽選結果を表示する図柄表示装置を有し、当りの時には一定時間開口する電動チューリップを有するパチンコ機にあって、入力信号受付から図柄表示装置に当り外れの抽選結果を表示するまでがあらかじめ定められた時間であり、抽選結果表示から電動チューリップ開口までに定められた遅れ時間を有し、上記抽選結果表示から電動チューリップ開口までに定められた遅れ時間の間に、遊技者操作スイッチが作動した時には、上記抽選結果表示から電動チューリップ開口までに定められた遅れ時間を短縮し、上記電動チューリップが一定時間開口することで、遊技盤上の上記電動チューリップの上方に遊技球が存在する時点で遊技者操作スイッチを作動すると、上記遊技球が上記電動チューリップに入賞する事が有り得るようにした事で、遊技者が自分の技術で獲得したような気分にさせる事を特徴とするパチンコ機であるから、遊技者の技量に基づく楽しさがあり、課題（１）で述べた問題に効用がある。
【０００７】  請求項２のパチンコ機は、遊技者操作スイッチを有するパチンコ機において、遊技者操作スイッチ信号を周辺基板のマイクロコンピューターを介して主基板のマイクロコンピューターに伝えると共に、主基板内に遊技者操作スイッチ表示ＬＥＤを設け、遊技者操作スイッチが操作される毎に遊技者操作スイッチ表示ＬＥＤが点灯することが確認できると共に、賞球払出等の遊技者操作スイッチの作動によっては有ってはならない動作が無い事を確認し易くしたことを特徴とするパチンコ機であるから、不正行為を早期発見でき課題（２）で述べた問題に効用がある。
【発明を実施する為の最良の形態】
【０００８】
【０００９】  図１は本発明の実施例の外観図である。図２は実施例の回路図である。図３は実施例の動作を説明する為のタイミングチャート図である。
【００１０】  さて、図１で、１は遊技盤であり、多数の釘２が打ち込まれている。また、３の風車が複数個設けられており、４の落下減速容器が設けられている。落下減速容器４には上方に遊技球５の入口４ａが設けられ、入口４ａ以外からの遊技球５の侵入を防止する防止壁４ｂが設けられ、入口４ａから入った遊技球５を誘導するパイプ部４ｃが設けられ、下方で奥まった位置の第一ステージ４ｄに遊技球を導く、第一ステージ４ｄは円弧の一部であり、奥から前に緩い傾斜を持つ、第一ステージ４ｄの下部には第二ステージ４ｅが同様に設けられており、入口４ａから入った遊技球は時間をかけながら、ゆらゆら不規則な動きをしながら図中の風車３とか後述する電動チューリップ９の方向とかに落下減速容器４から外部に落下する。
【００１１】  落下減速容器４の上方には６の入賞口スイッチ又はゲートスイッチが設けられており、そこへの入力信号は主基板のマイクロコンピューターで抽選され、当り外れ、図柄の停止までの時間等の情報のコマンドとして表示基板に送られ、表示基板が７の図柄表示装置に図柄を変動表示し、あらかじめ定められた時間（例えば６秒）の後当り外れ図柄を表示する。また、表示基板は８の時間経過表示器のＬＥＤ、Ｔ１、Ｔ２、Ｔ３を図柄確定後０．５秒、１秒、１．５秒後に順次点灯させる。
【００１２】  抽選が外れであれば、９の電動チューリップは開口せず、当りであれば同チューリップは０．５秒ほど開口する。この時、前述の落下減速容器４からの遊技球５が電動チューリップ９に拾われれば確認スイッチ１０で信号を主基板のマイクロコンピューターに送り、１１の電動役物を開口させる。電動役物は６秒以下の開口か１２の計数スイッチで１０球をカウントするまで開口する。なを、電動チューリップ９は開口していなくても入賞しうる様にも、開口した時のみ入賞する様にも作られる。
【００１３】  さて、上述の動作は従来のパチンコ機となんら変わらない。異なるのは遊技盤１以外の位置に遊技者操作スイッチ１３が有り、その使用方法に新規性がある。
【００１４】  図２は本実施例の回路図であり、主基盤１４のマイクロコンピューター１５の入力端子には６の入賞口スイッチ又はゲートスイッチ、確認スイッチ１０、計数スイッチ１２が結ばれ、その出力端子は電動チューリップ９、電動役物１１とコマンド線で周辺基板である払出基板１６のマイクロコンピューター１７へと同じくコマンド線で周辺基板である表示基板１８のマイクロコンピューター１９へと結ばれる。
【００１５】  マイクロコンピューター１９の入力端子には遊技者操作スイッチ１３が結ばれ、遊技者操作スイッチの信号をマイクロコンピューター１９で処理された信号１３ａが主基板の入力端子に結ばれると共に、遊技者操作スイッチ表示ＬＥＤ２０抵抗２１へと結ばれる。マイクロコンピューター１９の出力からは図柄表示装置７及び時間経過表示器８が結ばれている。
【００１６】  遊技者操作スイッチ１３が主基板の入力端子に結ばれると不正が行われ易い事を説明する為に破線で遊技者操作スイッチ１３を示すと共に、６の入賞口スイッチ又はゲートスイッチと遊技者操作スイッチ間の不正配線２２を図示する。
【００１７】  次に、図３のタイミングチャートを用いて本発明の動作を説明する。６の入賞口スイッチ又はゲートスイッチが信号を主基板のマイクロコンピューター１５に与えるとコマンドが払出基板１６及び表示基板１８に与えられる。図では見易くする為長い時間で示したがコマンドは極めて短時間である。コマンドの内容は今回の抽選が当りか？外れか？停止図柄は何か？が含まれる。図柄表示装置７には図中に点線で示される遊技者には判読できない高速変動が示され本実施例では６秒の変動後確定図柄が表示される。いま、当りであったとすると、当り確定図柄は６秒から８秒までの２秒間表示されるが、６秒時点から７．５秒までの１．５秒間は電動チューリップは開口せず、記号ＴＤで示される、定められた遅れ時間の後、一定の開口時間である７．５秒時点から８秒までの０．５秒間主基板からの信号で開口する。また、図柄が確定してから電動チューリップが開くまでの時間経過を示す為に、時間経過表示器８のＬＥＤ  Ｔ１、Ｔ２、Ｔ３が０．５秒経過時毎に点灯する。
【００１８】  次に、抽選結果が外れであったとする。６秒間の後、図柄変動は停止し、外れ図柄が６．５秒までの０．５秒間表示され、次の抽選に備える。勿論、電動チューリップの開口は無いし、時間経過表示器のＬＥＤの点灯もない。以上の動作には何ら新規性はなく、説明の都合上記号ＴＤで示す、定められた遅れ時間を従来のパチンコ機より長めの１．５秒としている点のみが目に付く変化である。
【００１９】  次に、遊技者操作スイッチが操作された時の説明をする。図２に示すように、遊技者操作スイッチ１３は周辺基板である表示基板１８のマイクロコンピューター１９を介して主基板のマイクロコンピューター１５へ信号を伝え不正防止がされている。抽選が当りであることが判っているマイクロコンピューター１５は定められた遅れ時間ＴＤを待たず、電動チューリップを０．５秒間開口させる。結果、図柄確定表示から電動チューリップ開口までの遅れ時間は定められた遅れ時間ＴＤより短縮されたＴｄとなる。
【００２０】  同様に、図示した短縮された遅れ時間Ｔｄ１，Ｔｄ２は遊技者操作スイッチ１３が作動された後電動チューリップが作動し始めるまでの時間Ｔｘを不確定にして、Ｔｄを不確定にする例を示す。時間経過表示器８のＬＥＤは後述する遊技盤面上を落下する遊技球の位置、速度等を勘案して遊技者操作スイッチを操作するタイミングの参考情報であり、０．５秒毎に順次点灯させる事もあるが、不正確な時間間隔として、狙いの精度を落とさせる使い方の時もあるし、用いない時もある。また、短縮された遅れ時間Ｔｄは０．５秒、１秒の２種類又は１秒のみの１種類として、上手、下手の差を少なくするが、遊技への技量の関与は残す等の変形はある。
【００２１】  上記タイミングチャートの説明だけでは、遊技者が自分の技量で入賞させたとか、勝った気分になったとかは理解出来ないので、図１と併せて説明する。抽選中は遊技盤上では図柄表示装置の図柄が変動し、第一ステージ４ｄ，第二ステージ４ｅ上を遊技球５がゆらゆらと揺動する状態が時々に発生する。人は球の動きを観てどれ程の時間後には電動チューリップの近辺に遊技球が落下減速容器からこぼれ落ちるかを予測する。予測の参考に時間経過表示器のＬＥＤの点灯状態が参考になる。
【００２２】  遊技者操作スイッチ１３を用いなくとも電動チューリップが開口した時に落下減速容器から落ちた球が入る事は有るし、タイミングを合わせる要素が無い方が全ての遊技者に公平であるのは事実である。が、課題で述べた様に公平さのみに重きを置きすぎると、技術要素が無くなり、単に大きな金額分の勝ち負けのみが追及される機械のみとなる。
【００２３】  公平さから逸脱せず、技量を楽しむ健全娯楽としてのパチンコ機とはいかなる性能であるべきか？は、中々判断の難しい問題である。上手、下手で１割から２割の出球差が良いのか？・・・・・時代の変化、社会情勢の変化の中で決めるべき事かと考えるが、決して上手、下手が全くない完全に均一なクジによる性能が良いとは現状の出球数のみを求める機械を見て思えない。
【００２４】  実施例では落下減速容器を設け、積極的に遊技者操作スイッチでタイミングを合わせて入賞球を得る例を分かり易くするために述べたが、明確な落下減速容器は本発明の必須要件ではない、釘と風車等で遊技球の落下速度を遅くし、抽選で開口する電動チューリップを下方に配置し、遊技者操作スイッチで抽選結果表示から電動チューリップ開口までに定められた遅れ時間を短縮し、上記電動チューリップが一定時間開口することで、遊技盤上の上記電動チューリップの上方に遊技球が存在する時点で遊技者操作スイッチを作動すると、上記遊技球が上記電動チューリップに入賞する事が有り得るようにした事で、時々に遊技者が自分の技術で獲得したような気分になる事を特徴とするものである。
【００２５】  遊技者が自分の意思で操作できるスイッチを遊技の要素に取り入れる事は、遊技の興趣を高める反面、不正行為に対して弱点が出る。図２で点線で示した遊技者操作スイッチ１３を主基盤に直接入れる場合、不正配線２２が図示の様に入賞口スイッチ又はゲートスイッチ６間に結ばれると入賞口スイッチの場合であれば払出基板にコマンドを送り賞球の払出しになるし、図柄の抽選動作にもなる。パチンコ機は主基板自体は封印され改造は困難にされているがスイッチへの配線は無防備であり、極細の線で上記ショートがされれば発見が困難である。不正配線は確認スイッチ１０にも計数スイッチ１２に対しても容易に行えるため、遊技者が自由に操作できるスイッチ信号を主基板に入れる事は監督する立場の人は許可を出さない。
【００２６】  遊技者操作スイッチの信号は周辺基板である表示基板を介して、しかも、表示基板を制御するマイクロコンピューター１９を介して主基板のマイクロコンピューター１５に入力される。単に表示基板経由だけなら上述したように電線でのショートによる不正が出来るためであり、マイクロコンピューター１９を介することで遊技者操作スイッチ１３の信号を特別な時間幅の波形に変換し上述の様な他の配線間とショート等を行えばマイクロコンピューター１５が判別できるようにもできる。また、マイクロコンピューター１９を経た遊技者操作スイッチ信号は遊技者操作スイッチ表示ＬＥＤ２０及び抵抗２１に結ばれＬＥＤの点灯で遊技者操作スイッチが操作されたか否かが視認しやすくされている。
【００２７】  主基板内に遊技者操作スイッチ表示ＬＥＤが設けられたことから、不正改造が有るか否かは電源は入っているが遊技が行われていない状態で遊技者操作スイッチを繰り返し操作し、遊技者操作スイッチ表示ＬＥＤの点灯のみで払出し、図柄変動、電動チュリップ、電動役物等一切の動きが無い事のチェックで確認できる。
【００２８】  本実施例では電動チューリップ９への入賞が電動役物１１を作動させる例を述べたが、電動チューリップを従来の羽根物パチンコ機の第二種始動口等として用いたりしてゲーム性を変更できることは明らかである。
【図面の簡単な説明】
【００２９】
【００３０】
【図１】  本発明のパチンコ機の実施例を示す説明図。
【図２】  本発明のパチンコ機の実施例を示す回路説明図。
【図３】  本発明の動作を説明するタイミングチャート図
【符号の説明】
【００３１】１‥‥‥‥‥‥‥‥‥‥‥‥遊技盤
２‥‥‥‥‥‥‥‥‥‥‥‥釘
３‥‥‥‥‥‥‥‥‥‥‥‥風車
４‥‥‥‥‥‥‥‥‥‥‥‥落下減速容器
５‥‥‥‥‥‥‥‥‥‥‥‥遊技球
６‥‥‥‥‥‥‥‥‥‥‥‥入賞口スイッチ又はゲートスイッチ
７‥‥‥‥‥‥‥‥‥‥‥‥図柄表示装置
８‥‥‥‥‥‥‥‥‥‥‥‥時間経過表示器
９‥‥‥‥‥‥‥‥‥‥‥‥電動チューリップ
１０‥‥‥‥‥‥‥‥‥‥‥確認スイッチ
１１‥‥‥‥‥‥‥‥‥‥‥電動役物
１２‥‥‥‥‥‥‥‥‥‥‥計数スイッチ
１３‥‥‥‥‥‥‥‥‥‥‥遊技者操作スイッチ
１４‥‥‥‥‥‥‥‥‥‥‥主基板
１５‥‥‥‥‥‥‥‥‥‥‥マイクロコンピューター
１６‥‥‥‥‥‥‥‥‥‥‥払出基板（周辺基板）
１７‥‥‥‥‥‥‥‥‥‥‥マイクロコンピューター
１８‥‥‥‥‥‥‥‥‥‥‥表示基板（周辺基板）
１９‥‥‥‥‥‥‥‥‥‥‥マイクロコンピューター
２０‥‥‥‥‥‥‥‥‥‥‥遊技者操作スイッチ表示ＬＥＤ
２１‥‥‥‥‥‥‥‥‥‥‥抵抗
２２‥‥‥‥‥‥‥‥‥‥‥不正配線
【図１】
2009034468.tif 000003
【図２】
2009034468.tif 000004
【図３】
2009034468.tif 000005